(57)【要約】  【課題】効率よく作業ができる農作業機を提供する。  【解決手段】前方に移動しながら搬送部３で農作物Ａを搬送する作業機本体４を備える。作業機本体４は、昇降可能な載置体支持部35を有する。作業機本体４の載置体支持部35には、搬送部３からの農作物Ａが落下して入る容器２を載置する載置体41を左右方向に移動可能に設ける。  【選択図】図１
2005034048.tif 000002
【特許請求の範囲】
【請求項１】
前方に移動しながら搬送部で農作物を搬送する作業機本体と、
この作業機本体に左右方向に移動可能に設けられ、前記搬送部からの農作物が収容される容器を載置する載置体と
を備えることを特徴とする農作業機。
【請求項２】
作業機本体は、昇降可能な載置体支持部を有し、
載置体は、前記載置体支持部に左右方向に移動可能に設けられている
ことを特徴とする請求項１記載の農作業機。
【請求項３】
作業機本体に前後方向に移動可能に設けられ、前位置に位置した状態では農作物を載置体の前部側へ案内し、後位置に位置した状態では農作物を前記載置体の後部側へ案内する案内体を備える
ことを特徴とする請求項１または２記載の農作業機。
【請求項４】
案内体は、前位置に位置した状態時に農作物を載置体の前部側へ案内する前低後高の傾斜状の傾斜案内板と、後位置に位置した状態時に農作物を載置体の後部側へ案内する略水平状の水平案内板とを有する
ことを特徴とする請求項３記載の農作業機。
【請求項５】
作業時には載置体を左作業位置および右作業位置にロックし、非作業時には前記載置体を左作業位置および右作業位置間の非作業位置にロックするロック用操作体を備える
ことを特徴とする請求項１ないし４のいずれか一記載の農作業機。
【発明の詳細な説明】
【技術分野】
【０００１】
本発明は、効率よく作業ができる農作業機に関するものである。
【背景技術】
【０００２】
従来は、例えば圃場の畝上に地干された農作物（例えば玉葱）の収穫に用いる農作業機として、トラクタの走行により前方に移動しながら搬送部で農作物を搬送する作業機本体と、作業機本体に昇降可能に設けられ搬送部からの農作物が収容される容器（例えばミニコンテナ）を載置する容器載置用フォークとを備えた牽引式の農作業機が知られている（例えば、特許文献１参照。）。
【特許文献１】特開２００２−２２３６２１号公報
【発明の開示】
【発明が解決しようとする課題】
【０００３】
しかしながら、上記従来の農作業機では、作業機本体から後方に向けて突出した容器載置用フォークの左右方向の位置が一定であるため、効率よく作業ができないおそれがある。
【０００４】
本発明は、このような点に鑑みなされたもので、効率よく作業ができる農作業機を提供することを目的とする。
【課題を解決するための手段】
【０００５】
請求項１記載の農作業機は、前方に移動しながら搬送部で農作物を搬送する作業機本体と、この作業機本体に左右方向に移動可能に設けられ、前記搬送部からの農作物が収容される容器を載置する載置体とを備えるものである。
【０００６】
そして、作業機本体の搬送部からの農作物が収容される容器を載置する載置体を左右方向に移動させることができるため、載置体の左右方向の位置が一定である場合に比べて、効率よく作業をすることが可能となる。
【０００７】
請求項２記載の農作業機は、請求項１記載の農作業機において、作業機本体は、昇降可能な載置体支持部を有し、載置体は、前記載置体支持部に左右方向に移動可能に設けられているものである。
【０００８】
そして、作業機本体の載置体支持部の昇降により載置体を昇降させることができるため、より一層効率よく作業をすることが可能となる。
【０００９】
請求項３記載の農作業機は、請求項１または２記載の農作業機において、作業機本体に前後方向に移動可能に設けられ、前位置に位置した状態では農作物を載置体の前部側へ案内し、後位置に位置した状態では農作物を前記載置体の後部側へ案内する案内体を備えるものである。
【００１０】
そして、作業機本体に前後方向に移動可能に設けられた案内体にて、農作物を適切に前後に振り分けることが可能となる。
【００１１】
請求項４記載の農作業機は、請求項３記載の農作業機において、案内体は、前位置に位置した状態時に農作物を載置体の前部側へ案内する前低後高の傾斜状の傾斜案内板と、後位置に位置した状態時に農作物を載置体の後部側へ案内する略水平状の水平案内板とを有するものである。
【００１２】
そして、案内体が前位置に位置した状態時には傾斜案内板にて農作物が載置体の前部側へ適切に案内され、案内体が後位置に位置した状態時には水平案内板にて農作物が載置体の後部側へ適切に案内される。
【００１３】
請求項５記載の農作業機は、請求項１ないし４のいずれか一記載の農作業機において、作業時には載置体を左作業位置および右作業位置にロックし、非作業時には前記載置体を左作業位置および右作業位置間の非作業位置にロックするロック用操作体を備えるものである。
【００１４】
そして、ロック用操作体を操作することによって、載置体を左作業位置、右作業位置および非作業位置に簡単にロックすることが可能となる。
【発明の効果】
【００１５】
請求項１記載の農作業機によれば、作業機本体の搬送部からの農作物が収容される容器を載置する載置体を左右方向に移動させることができるため、載置体の左右方向の位置が一定である場合に比べて、効率よく作業ができる。
【００１６】
請求項２記載の農作業機によれば、作業機本体の載置体支持部の昇降により載置体を昇降させることができるため、より一層効率よく作業ができる。
【００１７】
請求項３記載の農作業機によれば、作業機本体に前後方向に移動可能に設けられた案内体にて、農作物を適切に前後に振り分けることができる。
【００１８】
請求項４記載の農作業機によれば、案内体が前位置に位置した状態時には傾斜案内板にて農作物を載置体の前部側へ適切に案内でき、案内体が後位置に位置した状態時には水平案内板にて農作物を載置体の後部側へ適切に案内できる。
【００１９】
請求項５記載の農作業機によれば、ロック用操作体を操作することによって、載置体を左作業位置、右作業位置および非作業位置に簡単にロックできる。
【発明を実施するための最良の形態】
【００２０】
本発明の農作業機の一実施の形態を図面を参照して説明する。
【００２１】
図１ないし図４において、１は農作業機で、この農作業機１は、例えば走行車であるトラクタ（図示せず）に装着して使用する牽引式のものである。そして、この牽引式の農作業機１は、トラクタの走行により圃場Ｈ上を前方に移動しながら容器２内へ圃場Ｈの農作物Ａを収穫する収穫機である。
【００２２】
なお、圃場Ｈの農作物Ａは、例えば圃場Ｈの畝Ｈ1上に地干された略球形状の玉葱（根菜類）である。また、容器２は、例えば上方に向かって開口した外形略直方体状のミニコンテナである。
【００２３】
農作業機１は、トラクタの作業機装着装置である３点リンク部に連結され、トラクタの前進走行により前方（進行方向）に移動しながら、搬送部３で農作物Ａを圃場Ｈの畝Ｈ1上から拾い上げて後方に搬送する作業機本体４を備えている。
【００２４】
作業機本体４は、機枠５を有し、この機枠５には、トラクタの３点リンク部に連結された３点連結部６が設けられているとともにトラクタからの動力を入力する入力軸７が設けられている。
【００２５】
また、機枠５の前部には、畝Ｈ1上の農作物Ａが搬送部３の搬送始端部側に案内されるように農作物Ａを後方へ掻き込む自転式の掻込手段11が設けられている。掻込手段11は、左右方向の回転軸12を有し、この回転軸12には外周面に複数の膨出部13を突設した掻込ローラ14が回転自在に設けられている。
【００２６】
さらに、機枠５の前部には、前下り傾斜状の搬送面16にて農作物Ａを畝Ｈ1から拾い上げて後上方に搬送する第１コンベヤ17が設けられており、この第１コンベヤ17は掻込手段11の近傍位置にこの掻込手段11と対向して配設されている。第１コンベヤ17は、入力軸７側からの動力に基づいて回転する搬送用の無端体18を有している。
【００２７】
また、機枠５には、搬送部材である搬送用バー21にて第１コンベヤ17の搬送面16からの農作物Ａを受け取って後上方に搬送する持上コンベヤである第２コンベヤ22が設けられており、この第２コンベヤ22は機枠５の下部側から上部側にわたって配設されている。第２コンベヤ22は、入力軸７側からの動力に基づいて回転する無端体23を有し、この無端体23に複数のバー取付部材20が等間隔をおいて設けられ、この各バー取付部材20に例えば４本の搬送用バー21がそれぞれ取り付けられている。
【００２８】
さらに、機枠５の上部には、後下り傾斜状の搬送面25にて第２コンベヤ22の搬送用バー21からの農作物Ａを受け取って後下方に搬送する第３コンベヤ26が設けられている。第３コンベヤ26は、入力軸７側からの動力に基づいて回転する搬送用の無端体27を有している。また、第３コンベヤ26の左右両側方には、第３コンベヤ26の搬送面25上の農作物Ａがその搬送面25の側端から落下するのを防止する左右一対の落下防止板30が配設されている。
【００２９】
なお、３つのコンベヤ、すなわち第１コンベヤ17、第２コンベヤ22および第３コンベヤ26にて、農作物Ａを圃場Ｈの畝Ｈ1上から拾い上げて後方に搬送する搬送部３が構成されている。また、作業機本体４の機枠５の前下部からは、搬送部３の搬送始端側において農作物Ａを一時的に貯えるための左右一対のこぼれ防止板29が前方に向って突出している。
【００３０】
また一方、作業機本体４の機枠５の後下部には、左右一対の接地輪31が回転自在に設けられている。
【００３１】
また、機枠５の後下部からは、左右一対をなす上下方向に長手状の案内部33が上方に向って突出している。
【００３２】
そして、案内部33には、単一駆動手段である１本の油圧シリンダ34の伸縮に応じて案内部33に沿って昇降する略矩形板状で水平状の載置体支持部（コンテナ台支持板）35が昇降可能に設けられている。
【００３３】
この載置体支持部35を昇降させる油圧シリンダ34には、この油圧シリンダ34を制御する制御手段36が接続されている。そして、図示しない上位置設定用ボタンが押されると、制御手段36の制御に基づく油圧シリンダ34のロッド34aの伸びにより、載置体支持部35が所定量だけ上昇して容器１段積み用の上位置に自動設定される（図１参照）。このとき、油圧シリンダ34による載置体支持部35の上昇は、ガススプリング37の付勢力にて補助される。また、図示しない下位置設定用ボタンが押されると、制御手段36の制御に基づく油圧シリンダ34のロッド34aの縮みにより、載置体支持部35が所定量だけ下降して容器２段積み用の下位置に自動設定される（図２参照）。
【００３４】
また、作業機本体４の昇降可能な載置体支持部35には、搬送部３からの農作物Ａが落下して収容される容器２を複数個並べて載置する略矩形板状で水平状の載置体（コンテナ台）41が進行方向に対する左右方向に移動可能（スライド可能）に設けられている。
【００３５】
載置体41は、載置体支持部35上のスムーズな移動を可能にするキャスタ42が付いたもので、この載置体41の左右方向の長さ寸法は載置体支持部35に比べて長くなっており、この載置体41の上面は、８個の容器２を前後に２個、左右に４個並べて載置できる大きさとなっている。すなわち、図５に示されるように、載置体41の前部上には４個の容器２をその長辺を前後方向に一致させた状態として左右方向に並べて載置でき、同様に、載置体41の後部上には４個の容器２をその長辺を前後方向に一致させた状態として左右方向に並べて載置できるようになっている。
【００３６】
また、この載置体41は、図１に示されるように、ロック用係合部であるロック用係合孔部43を有している。そして、この載置体41のロック用係合孔部43と係脱可能なロック用操作体であるロックレバー45が、載置体支持部35の後端部における左右方向略中央部に設けられている。
【００３７】
そして、ロックレバー45は、収穫作業時にはロック用係合孔部43との係合により載置体41を載置体支持部35に対して左作業位置および右作業位置にロックし、非収穫作業時にはロック用係合孔部43との係合により載置体41を載置体支持部35に対して左作業位置および右作業位置間の非作業位置にロックする。
【００３８】
なお、載置体41が左作業位置（進行方向左の作業位置）に位置した状態時には、載置体41の左側が載置体支持部35の左端から左側方に突出し、載置体41の右側前端部が搬送部３の搬送終端部の下方位置に位置する（図５および図６参照）。
【００３９】
また、載置体41が右作業位置（進行方向右の作業位置）に位置した状態時には、載置体41の右側が載置体支持部35の右端から右側方に突出し、載置体41の左側前端部が搬送部３の搬送終端部の下方位置に位置する（図７および図８参照）。
【００４０】
さらに、載置体41が非作業位置（左右中央位置）に位置した状態時には、載置体支持部35に対する載置体41の側方への突出量が最小になり、農作業機１の運搬が容易となる（図９参照）。
【００４１】
また一方、作業機本体４の落下防止板30からは、パイプ等にて構成された略矩形環状の案内体支持部51が後方に向って突出している。
【００４２】
そして、この作業機本体４の案内体支持部51には、前位置に位置した状態では農作物Ａを載置体41の前部側へ案内し、後位置に位置した状態では農作物Ａを載置体41の後部側へ案内する前後振分手段である案内体（可動シュート）53が前後方向に移動可能（スライド可能）に設けられている。
【００４３】
案内体53は、図３に示す前位置に位置した状態時に搬送部３の搬送終端部からの農作物Ａをこの農作物Ａと前面が接触して載置体41の前部側へ案内する前低後高の傾斜状の傾斜案内板54と、後位置に位置した状態時に搬送部３の搬送終端部からの農作物Ａをこの農作物Ａと上面が接触して載置体41の後部側へ案内する略水平状の水平案内板55とを有している。
【００４４】
ここで、水平案内板55は、案内体支持部51にて前後方向に移動調節可能に支持され、この水平案内板55の後端部に傾斜案内板54が傾斜状に固着されている。また、水平案内板55の後端部には、農作業機１の後を追う補助作業者（図示せず）が手動で案内体53を前後移動させる際に把持する把持部56が設けられている。
【００４５】
さらに、水平案内板55の後側略半部には、農作物Ａが通過する大きさの略矩形状の開口部57が傾斜案内板54の前方に位置して形成されている。
【００４６】
なお、開口部57の左右方向の長さ寸法は１個の容器２の短辺の長さ寸法の略２倍となっており、開口部57の前後方向の長さ寸法は１個の容器２の長辺の長さ寸法の略半分となっている。また、開口部57の左右方向の長さ寸法は、搬送部３の幅寸法と略等しい寸法である。
【００４７】
次に、上記農作業機１を用いて圃場Ｈの農作物Ａを収穫する場合について説明する。
【００４８】
まず、作業機本体４の載置体支持部35を容器１段積み用の上位置に設定してから、この上位置に設定された載置体支持部35上の載置体41の上面上に、８個の空の容器２を前後に２個、左右に４個並べて載置する。
【００４９】
そして、例えば図５に示すように、載置体41を左作業位置に設定しかつ案内体53を前位置に設定した状態で、トラクタの前進走行により作業機本体４を前方に移動させると、圃場Ｈの畝Ｈ1上に地干された農作物Ａは、掻込手段11にて掻き込まれた後、搬送部３にて畝Ｈ1上から拾い上げられて後方に搬送される。
【００５０】
そして、搬送部３の搬送終端部、つまり第３コンベヤ26の搬送面25の後端部から送出された農作物Ａは、その自重で落下しながら、案内体53の傾斜案内板54の前面と接触した後、開口部57を通過して、載置体41上の容器２内に収容される。
【００５１】
このとき、搬送部３からの農作物Ａは、案内体53の傾斜案内板54を介して、載置体41上の８個の容器２のうち、載置体41の前部右側上の２個の容器２内に順次収容される。
【００５２】
次いで、載置体41の前部右側上の２個の容器２が所望量の農作物Ａで満杯になると、農作業機１の後を追う補助作業者は、図６に示すように、案内体53を案内体支持部51に対して後方に所定量移動させることにより、案内体53を後位置に設定する。
【００５３】
案内体53が後位置に設定されると、搬送部３の搬送終端部から送出された農作物Ａは、その自重で落下しながら、案内体53の水平案内板55の上面と接触した後、開口部57を通過して、載置体41上の容器２内に収容される。
【００５４】
このとき、搬送部３からの農作物Ａは、案内体53の水平案内板55を介して、載置体41上の８個の容器２のうち、載置体41の後部右側上の２個の容器２内に順次収容される。
【００５５】
次いで、載置体41の後部右側上の２個の容器２が所望量の農作物Ａで満杯になると、農作業機１の後を追う補助作業者は、今度は、図７に示すように、載置体41を載置体支持部35に対して進行方向右方に所定量移動させることにより、載置体41を右作業位置に設定する。
【００５６】
載置体41が右作業位置に設定されると、搬送部３の搬送終端部から送出された農作物Ａは、その自重で落下しながら、案内体53の水平案内板55の上面と接触した後、開口部57を通過して、載置体41上の容器２内に収容される。
【００５７】
このとき、搬送部３からの農作物Ａは、案内体53の水平案内板55を介して、載置体41上の８個の容器２のうち、載置体41の後部左側上の２個の容器２内に順次収容される。
【００５８】
次いで、載置体41の後部左側上の２個の容器２が所望量の農作物Ａで満杯になると、農作業機１の後を追う補助作業者は、今度は、図８に示すように、案内体53を案内体支持部51に対して前方に所定量移動させることにより、案内体53を前位置に設定する。
【００５９】
案内体53が前位置に設定されると、搬送部３の搬送終端部から送出された農作物Ａは、その自重で落下しながら、案内体53の傾斜案内板54の前面と接触した後、開口部57を通過して、載置体41上の容器２内に収容される。
【００６０】
このとき、搬送部３からの農作物Ａは、案内体53の傾斜案内板54を介して、載置体41上の８個の容器２のうち、載置体41の前部左側上の２個の容器２内に順次収容される。
【００６１】
こうして、容器１段積み用の上位置に設定された載置体支持部35上の載置体41に載置された１段目の８個の容器２がすべて農作物Ａで満杯になると、トラクタの走行が停止され、収穫作業が一旦中断される。
【００６２】
そして、補助作業者は、作業機本体４の載置体支持部35を容器２段積み用の下位置に設定してから、この下位置に設定された載置体支持部35上の載置体41に載置された１段目の容器２上に、８個の空の容器２を前後に２個、左右に４個並べて載置する。
【００６３】
そして、再び図５に示すように、載置体41を左作業位置に設定しかつ案内体53を前位置に設定した状態で、トラクタの前進走行により作業機本体４を前方に移動させて、収穫作業を再開する。
【００６４】
そうして、容器２段積み用の下位置に設定された載置体支持部35上の載置体41に載置された２段目の８個の容器２がすべて農作物Ａで満杯になった時点で、載置体41上の１６個の容器２を図示しない運搬車の荷台上に移載する。
【００６５】
なお、収穫作業終了後、農作業機１を倉庫まで運搬する場合には、図９に示すように、載置体41を載置体支持部35に対して所定量移動させて非作業位置に設定する。
【００６６】
そして、上記一実施の形態の農作業機１によれば、作業機本体４の搬送部３からの農作物Ａが収容される容器２を載置する載置体41を作業機本体４の水平状の載置体支持部35に対して左右水平方向に移動させることができるため、従来の農作業機に比べて、効率よく収穫作業ができ、補助作業者の労力軽減を図ることができる。
【００６７】
また、傾斜案内板54および水平案内板作55を有した比較的簡単な構成の案内体53によって、農作物Ａを適切に前後に振り分けることができ、コスト低減を図ることができる。
【００６８】
さらに、ロックレバー45を操作することによって、載置体支持部35にて左右方向に移動可能に支持された載置体41を左作業位置、右作業位置および非作業位置に簡単かつ確実にロックすることができる。
【００６９】
なお、農作業機１は、昇降可能な載置体支持部35に左右方向に移動可能に設けられた載置体41を備えたものには限定されず、例えば作業機本体４の昇降不能な部分に左右方向に移動可能に設けられた載置体41を備えたもの等でもよい。
【００７０】
また、載置体41の上方位置で搬送部３からの農作物Ａを前後に振り分ける前後振分手段は、案内体53からなる構成には限定されず、いかなる構成のものでもよい。
【００７１】
さらに、載置体41に載置する容器２の大きさや数等は任意であり、例えば大型のコンテナ（容器）を載置体41に左右に２個並べて載置するようにしてもよい。
【００７２】
また、作業機本体４は、前方に移動しながら搬送部３で農作物Ａを圃場Ｈの畝Ｈ1上から拾い上げて後方に搬送する構成には限定されず、例えば前方に移動しながら掘取部で土中の農作物Ａを掘り取り、搬送部３でその掘り取られた農作物Ａを後方に搬送する構成等とすることもできる。
【図面の簡単な説明】
【００７３】
【図１】本発明の農作業機の一実施の形態の側面図である。
【図２】同上農作業機の容器２段積み状態の側面図である。
【図３】同上農作業機の案内体の前位置状態の側面図である。
【図４】同上農作業機の案内体の後位置状態の側面図である。
【図５】同上農作業機の載置体の前部右側上の２個の容器に農作物が収容される状態を示す平面図である。
【図６】同上載置体の後部右側上の２個の容器に農作物が収容される状態を示す平面図である。
【図７】同上載置体の後部左側上の２個の容器に農作物が収容される状態を示す平面図である。
【図８】同上載置体の前部左側上の２個の容器に農作物が収容される状態を示す平面図である。
【図９】同上載置体の非作業位置状態を示す平面図である。
【符号の説明】
【００７４】
１    農作業機
２    容器
３    搬送部
４    作業機本体
35    載置体支持部
41    載置体
45    ロック用操作体であるロックレバー
53    案内体
54    傾斜案内板
55    水平案内板
Ａ    農作物
【図１】
2005034048.tif 000003
【図２】
2005034048.tif 000004
【図３】
2005034048.tif 000005
【図４】
2005034048.tif 000006
【図５】
2005034048.tif 000007
【図６】
2005034048.tif 000008
【図７】
2005034048.tif 000009
【図８】
2005034048.tif 000010
【図９】
2005034048.tif 000011